(57)【要約】【課題】こぼれた土を容易に再利用できる土詰め装置および土詰めシステムの提供。【解決手段】展開したペーパーポット１を乗載する台板１４の下方に、その台板１４上のペーパーポット１からこぼれる土を排出する排出コンベア３５を配設してなる土詰め装置。  <i>上記の土詰め装置Ｂと、<ii>その土詰め装置Ｂの台板１４に乗載されたペーパーポット１にコンベア５１により土を落下供給する土供給装置Ａと、<iii>上記土詰め装置Ｂの排出コンベア３５から排出される土を、上記土供給装置Ａのコンベア５１に戻すリターンコンベア装置Ｃとからなる土詰めシステム。【選択図】  図１
0003119094.tif 000002
【実用新案登録請求の範囲】
【請求項１】
展開したペーパーポット（１）を乗載する台板（１４）の下方に、その台板（１４）上のペーパーポット（１）からこぼれる土を排出する排出コンベア（３５）を配設してなることを特徴とする土詰め装置。
【請求項２】
展開したペーパーポット（１）を乗載する台板（１４）の下方に、その台板（１４）上のペーパーポット（１）からこぼれる土を受入するホッパ（３４）を配設するとともに、そのホッパ（３４）の底部に、該ホッパ（３４）内の土を排出する排出コンベア（３５）を配設してなることを特徴とする土詰め装置。
【請求項３】
上記排出コンベア（３５，３５）を、該排出コンベア（３５，３５）の走行方向に対して直交する方向における上記台板（１４）の両側の位置に配設し、また、上記排出コンベア（３５，３５）の走行方向前後における上記台板（１４）の両側の位置に、上記ペーパーポット（１）からこぼれた土を上記排出コンベア（３５，３５）に案内する案内板（４４，４４）を配設してなることを特徴とする請求項２記載の土詰め装置。
【請求項４】
上記台板（１４）が筐体（１１）に乗載され、上記ホッパ（３４）が上記筐体（１１）の外周に、該筐体（１１）を取り囲むように取り付けられていることを特徴とする請求項２または３記載の土詰め装置。
【請求項５】
上記台板（１４）に乗載されたペーパーポット（１）の周面に当接する規制枠（１９，１９，２２，２２）を、該台板（１４）に開閉自在に取り付けてなることを特徴とする請求項１，２，３または４記載の土詰め装置。
【請求項６】
筐体（１１）内に、上記台板（１４）を振動させる加振機構（１７）を配設してなることを特徴とする請求項１，２，３，４または５記載の土詰め装置。
【請求項７】
先端にベアリング（３０）を固定した押上げ軸（３１）を立設した押上げ部材（２９）を、その押上げ軸（３１）を上記台板（１４）の通孔（３０’）内に位置させ、かつ上下動自在にして筐体（１１）内に配設し、その押上げ部材（２９）の上昇により、台板（１４）に乗載されたペーパーポット（１）を上記押上げ軸（３１）により押し上げることができるようにしてなることを特徴とする請求項１，２，３，４，５または６記載の土詰め装置。
【請求項８】
<i>請求項１，２，３，４，５，６または７記載の土詰め装置（Ｂ）と、
<ii>その土詰め装置（Ｂ）の台板（１４）に乗載されたペーパーポット（１）に、コンベア（５１）を通じて土を落下供給する土供給装置（Ａ）と、
<iii>上記土詰め装置（Ｂ）の排出コンベア（３５）から排出される土を、土供給装置（Ａ）の上記コンベア（５１）に戻すリターンコンベア装置（Ｃ）とからなることを特徴とする土詰めシステム。
【請求項９】
上記リターンコンベア装置（Ｃ）が、揺動自在な揺動シュート（７８）から土供給装置（Ａ）の上記コンベア（５１）に土を落下供給して戻すようにしてなることを特徴とする請求項８記載の土詰めシステム。
【請求項１０】
上記リターンコンベア装置（Ｃ）が、上記土詰め装置（Ｂ）の排出コンベア（３５）から排出される土を受入する土回収ホッパ（７０）と、そのホッパ（７０）内の土を搬送する送給コンベア（７１）と、その送給コンベア（７１）からの土を揚送するバケットコンベア（６７）と、そのバケットコンベア（６７）からの土を案内し上記土供給装置（Ａ）のコンベア（５１）上に落下供給する揺動シュート（７８）とからなることを特徴とする求項９記載の土詰めシステム。
【考案の詳細な説明】
【技術分野】
【０００１】
本考案は、ビート等の作物移植用の紙製集合鉢であるペーパーポット（登録商標）への土詰め作業に用いる土詰めシステムと、その土詰め装置に関する。
【背景技術】
【０００２】
従来より、ペーパポットの土詰め作業に用いる土詰め装置として、特にこれを記載した文献はないが、図１０(a),(b)に示したようなものが用いられている。
【０００３】
この土詰め装置ａは、展開したペーパーポット１を方形の台板２の上に載置できるようにするとともに、その台板２の四方に規制枠３……を起立させることで、そのペーパーポット１を四方から支えておくことができるものである。
上記台板２に載置されたペーパーポット１には、コンベア終端を上記台板２の上方に位置させた所要の土供給装置（図示しない）により土を落下供給することができる。
【考案の開示】
【考案が解決しようとする課題】
【０００４】
しかし、上記土供給装置より供給され上記規制枠３……を越えてこぼれた余分な土は、地面に落下し、作業者により踏み固められてしまうので、これを集めて後の土詰めに再利用するには、再度ふるい直す必要があり、手間が掛かってしまうこととなっていた。
【０００５】
そこで本考案は、こぼれた土を容易に再利用できる土詰め装置および土詰めシステムの提供を課題とする。
【課題を解決するための手段】
【０００６】
請求項１記載の本考案は、展開したペーパーポット１を乗載する台板１４の下方に、その台板１４上のペーパーポット１からこぼれる土を排出する排出コンベア３５を配設してなる土詰め装置である。
【０００７】
請求項２記載の本考案は、展開したペーパーポット１を乗載する台板１４の下方に、その台板１４上のペーパーポット１からこぼれる土を受入するホッパ３４を配設するとともに、そのホッパ３４の底部に、該ホッパ３４内の土を排出する排出コンベア３５を配設してなる土詰め装置である。
【０００８】
請求項３記載の本考案は、上記排出コンベア３５，３５を、該排出コンベア３５，３５の走行方向に対して直交する方向における上記台板１４の両側の位置に配設し、また、上記排出コンベア３５，３５の走行方向前後における上記台板１４の両側の位置に、上記ペーパーポット１からこぼれた土を上記排出コンベア３５，３５に案内する案内板４４，４４を配設してなる請求項２記載の土詰め装置である。
【０００９】
請求項４記載の本考案は、上記台板１４が筐体１１に乗載され、ホッパ３４が上記筐体１１の外周に、該筐体１１を取り囲むように取り付けられている請求項２または３記載の土詰め装置である。
【００１０】
請求項５記載の本考案は、上記台板１４に乗載されたペーパーポット１の周面に当接する規制枠１９，１９，２２，２２を、該台板１４に開閉自在に取り付けてなる請求項１，２，３または４記載の土詰め装置である。
【００１１】
請求項６記載の本考案は、筐体１１内に、上記台板１４を振動させる加振機構１７を配設してなる請求項１，２，３，４または５記載の土詰め装置である。
【００１２】
請求項７記載の本考案は、先端にベアリング３０を固定した押上げ軸３１を立設した押上げ部材２９を、その押上げ軸３１を上記台板１４の通孔３０’内に位置させ、かつ上下動自在にして筐体１１内に配設し、その押上げ部材２９の上昇により、台板１４に乗載されたペーパーポット１を上記押上げ軸３１により押し上げることができるようにしてなる請求項１，２，３，４，５または６記載の土詰め装置である。
【００１３】
請求項８記載の本考案は、<i>請求項１，２，３，４，５，６または７記載の土詰め装置Ｂと、<ii>その土詰め装置Ｂの台板１４に乗載されたペーパーポット１に、コンベア５１を通じて土を落下供給する土供給装置Ａと、<iii>上記土詰め装置Ｂの排出コンベア３５から排出される土を、土供給装置Ａの上記コンベア５１に戻すリターンコンベア装置Ｃとからなる土詰めシステムである。
【００１４】
請求項９記載の本考案は、上記リターンコンベア装置Ｃが、揺動自在な揺動シュート７８から土供給装置Ａの上記コンベア５１に土を落下供給して戻すようにしてなる請求項８記載の土詰めシステムである。
【００１５】
請求項１０記載の本考案は、上記リターンコンベア装置Ｃが、上記土詰め装置Ｂの排出コンベア３５から排出される土を受入する土回収ホッパ７０と、そのホッパ７０内の土を搬送する送給コンベア７１と、その送給コンベア７１からの土を揚送するバケットコンベア６７と、そのバケットコンベア６７からの土を案内し上記土供給装置Ａのコンベア５１上に落下供給する揺動シュート７８とからなる請求項９記載の土詰めシステムである。
【考案の効果】
【００１６】
本考案によれば、ペーパーポットからこぼれた土を土供給装置に戻して容易に再利用できる。
【考案を実施するための最良の形態】
【００１７】
展開したペーパーポット１を乗載する台板１４の下方に、その台板１４上のペーパーポット１からこぼれる土を排出する排出コンベア３５を配設してなる土詰め装置。
【００１８】
<i>上記の土詰め装置Ｂと、<ii>その土詰め装置Ｂの台板１４に乗載されたペーパーポット１にコンベア５１により土を落下供給する土供給装置Ａと、<iii>上記土詰め装置Ｂの排出コンベア３５から排出される土を、上記土供給装置Ａのコンベア５１に戻すリターンコンベア装置Ｃとからなる土詰めシステム。
【実施例】
【００１９】
本考案の実施例について図１〜９により説明する。
Ａは土を搬送供給する土供給装置、Ｂはその土供給装置Ａから供給される土を、載置しておいたペーパーポット１に詰められるようにした本考案土詰め装置、Ｃは上記土詰め装置Ｂ上のペーパーポット１からこぼれて排出された土を、上記土供給装置Ａに戻すリターンコンベア装置で、本考案土詰めシステムはこれら土供給装置Ａ，土詰め装置Ｂ，および，リターンコンベア装置Ｃから構成されている。
【００２０】
まず、上記土詰め装置Ｂの構成について詳細に説明する。
１１は本土詰め装置Ｂの筐体で、その一側（図１，４では左側）には移動用車輪１２を取り付け、また、他側に移動用ハンドル１３を取り付けてある（図１〜４）。
【００２１】
１４は、上記筐体１１の上面に乗載された長方形の台板で、その下面には支持部材１５が固定されている（図４，５）。１６は、その支持部材１５の中央下部に取り付けられたベアリングである。
１７’は、上記支持部材１５に接続され、下端を上記筐体１１に軸支させた持ち上げリンク、１７”は、上記支持部材１５のベアリング１６に当接する位置に配設されたS字状をなすカムで、これらは加振機構１７をなしている（図４〜６）。
この加振機構１７は、モータ１８により上記カム１７”を回転させることで、上記ベアリング１６の押し上げ（図５（ａ））と落下を繰り返し（図５（ｂ））、上記台板１４を上下に振動させるようになっている。
【００２２】
１９，１９は、上記台板１４の前後（図３では上下）の長辺の上方の位置に、互いに対向させて取り付けられた（長辺側）規制枠である（図１〜４，８）。その規制枠１９，１９は、平板状の規制部１９ａの上縁に∧形（山形）の折り返し部１９ｂを連設しているもので、その左右両端に固定された支持腕２０，２０により、上記台板１４に対して回動自在にして支持されており、互いが最も近接し、規制部１９ａが直立する規制位置（イ）と、前後外方に倒れた開放位置（ロ）との間で回動するようになっている（図８）。２１は、上記支持腕２０，２０の下部間に掛けられたバネで、これによって、上記規制枠１９，１９は、上記規制位置（イ）の側に付勢されている。
【００２３】
２２，２２は、上記台板１４の左右の短辺の上方の位置に、互いに対向させて取り付けられた（短辺側）規制枠である（図１〜４，９）。この規制枠２２，２２は、平板状の規制部２２ａの上縁に∧形（山形）の折り返し部２２ｂを連設しているもので、その前後両端に固定された支持腕２３，２３により、上記台板１４に対し回動自在に支持されており、互いが最も近接し、２２ａが直立する規制位置（ハ）と、外方に９０°倒れた開放位置（ニ）との間で回動するようになっている（図４，９）。
なお、上記支持腕２３，２３間には開閉軸２４が横架固定されている（図３，８（ａ））。
【００２４】
２５は、上記バネ２１を挿通したリンク筒で（図８，９）、これは、上記台板１４に対して回動自在に基端を固定したリンク座２６の中間部に固定されている。上記リンク座２６の先端には、上記開閉軸２４のブラケット２４’に先端を軸支したリンクバー２７の基端が軸支されている。これらリンク筒２５，リンク座２６，リンクバー２７等は規制板１９，１９と規制板２２，２２の開閉を連動させる規制板リンク機構を構成している。
【００２５】
２８，２８は、上記支持腕２０，２０の下部と上記支持腕２３，２３の下部との間に掛けられた安定バネで（図９）、規制枠２２，２２は規制位置（ハ）にあるときに倒れないよう付勢されている。
【００２６】
上記規制枠１９，１９および規制枠２２，２２は、規制位置（イ），（ハ）にあるときには上記台板１４を取り囲み、該台板１４に展開状態で乗載されたペーパーポット１の周面に当接するとともに、上記土供給装置Ａから供給される土をそのペーパーポット１内に留めるように規制する。
【００２７】
上記規制枠１９，１９を外方に開くと、上記バネ２１が伸張しながら下方に移動するので、これを挿通した上記リンク筒２５が下方に移動され、リンク座２６，リンクバー２７が下方に引かれ、これによって、上記規制枠２２，２２が連動して開くようになっている。
この開放状態は、安定バネ２８，２８により維持されるようになっており、また、規制枠１９，１９と規制枠２２，２２とは、規制位置（イ），（ハ）側に閉じる際にも連動するようになっている。
【００２８】
２９は、先端にベアリング３０を取り付けた複数の押上げ軸３１……を立設した押上げ部材で（図４，７）、これは、上記押上げ軸３１を、上記台板１４の所要位置に開設された通孔３０’内に位置させ、かつ、上下動自在にして上記筐体１１内に配設されている。
上記押上げ部材２９は、押上げレバー３３の操作により上下動するようになっており、これらは台板１４上のペーパーポット１を押し上げる押上げ機構をなす。押上げ部材２９を上昇させたときには、上記押上げ軸３１のベアリング３０が上記台板の１４の上面から突出し（図７）、下降させたときには、そのベアリング３０が通孔３０’内に収まるようになっている。
【００２９】
３４は、上記台板１４の下方に位置させて、上記筐体１１の外周に該筐体１１を取り囲むようにして４枚の側板３４ａ〜３４ｄを取り付けてなるホッパで、これは、上記台板１４上のペーパーポット１からこぼれる土を受入するようになっている。
３５，３５は、上記ホッパ３４底部の、台板１４の前後下方の位置に、すなわち規制位置（イ）にある上記規制枠１９，１９の外側下方に位置させ、かつ、その下流側端部を上記ホッパ３４の排出口３６，３６から突出させて配設された一対の排出コンベアである。
【００３０】
これは、筐体１１の前後に固定されたコンベア支持枠３５’，３５’の左右端に横架された駆動軸３７，３７と従動軸３７’，３７’との間に無端状のコンベアベルト３８，３８を掛け渡したもので、そのコンベアベルト３８，３８の上面は図１，３で右側に走行し、ホッパ３４内の土を上記排出口３６，３６を通じて排出するものある。
この排出コンベア３５，３５は、上記の通り筐体１１（台板１４）に対して、その走行方向に対して直交する方向の両側の位置に配設されており、上記筐体１１内に設置されたモータ３９により、そのモータ軸４０，チェーン４１，軸４２，チェーン４３，４３を介して上記駆動軸３７，３７を回転することで駆動される（図３）。
【００３１】
４４，４４は、上記ホッパ３４底部の、台板１４の左右（上記排出コンベア３５，３５の走行方向前後両側）下方の位置に、すなわち規制位置（ハ）にある上記規制枠２２，２２の外側下方に配設された案内板で、これは、中央を高くし、その前後両側を上記排出コンベア３５，３５に向かって低くした山形をなしているものである（図２）。
【００３２】
上記排出コンベア３５，３５は、ペーパーポット１への土詰めの際に上記規制枠１９，１９を越えて外方にこぼれた土を受け止めるとともに、上記規制枠２２，２２を越えて外方にこぼれ、ホッパ３４内の案内板４４，４４により案内された土を受け止め、これをホッパ３４外へ排出する。
【００３３】
上記構成よりなる土詰め装置Ｂは、その台板１４の上方に上記土供給装置Ａのコンベア５１の搬送終端が位置するよう配置され、該コンベア５１を通じて、上記台板１４に載置されたペーパーポット１内に土の供給を受ける。
【００３４】
次に、上記リターンコンベア装置Ｃの構成について説明する。
６１は土揚送部で、その筐体６１’の内部上方にはモーター６２で駆動される駆動軸６３が左右方向に横架され、また、その下方には従動軸６４が上記駆動軸６３と平行にして横架されている。
上記駆動軸６３と従動軸６４との間には一対の無端状のバケット用チェーン６５，６５が掛け回されている。
【００３５】
上記一対のバケット用チェーン６５，６５間には、側面略Ｌ字形をなす複数のバケット６６……が取り付けられて、バケットコンベア６７を構成している。
このバケットコンベア６７は、上記モーター６２により、図２で反時計回りに回動し、上記筐体６１’の下端の貯留部６８内の土を揚送する。
【００３６】
６９は、上記土揚送部６１の筐体６１’の下端の後面側に連設された土回収部で、それは、上記土詰め装置Ｂの排出コンベア３５，３５から排出される土を受け入れる土回収ホッパ７０と、その土回収ホッパ７０の底部に配設され、該土回収ホッパ７０の土を搬送し上記土揚送部６１の上記貯留部６８へ投入する送給コンベア７１を備えている。
【００３７】
上記送給コンベア７１は、上記土回収部６９の前側に横架された土排出コンベア用軸７２と、同土回収部６９の後側に横架された土排出コンベア用軸７３との間に無端状のコンベアベルト７１’を掛け渡したもので、上記土排出コンベア用軸７２は、上記従動軸６４との間にチェーン７２’を掛け渡すことにより、上記バケットコンベア６７に連動して駆動するようになっている。
【００３８】
７４は、上記土揚送部６１の筐体６１’の上端の前面に突出形成された土吐出部で、それは、上記バケットコンベア６７により揚送された土を、下面に開口した吐出口７５から吐出するものである。
【００３９】
７６は、上記土揚送部６１の筐体６１’の前面の、上記土吐出部７４の下方に取り付けられたシュート支持部である。
このシュート支持部７６は、一対の脚部７７ａ，７７ａからなるスタンド７７により、断面半円形をなす樋状の揺動シュート７８を、側方に向けて、かつ、その上寄りの位置において上下揺動自在に軸支している。
上記揺動シュート７８は、上記土吐出部７５から吐出される土を案内し、所要の位置に落下させるようになっている。
【００４０】
７９は、上記スタンド７７の脚部７７ａ，７７ａの間に位置するように、上記揺動シュート７８の下面に一端を固定した弧状の揺動アームである。
【００４１】
８０は、上記揺動シュート７８の下方に、前後方向に向けて配設されたシュート揺動軸で、それは上記モータ６２により、所要のギア機構等を介し、上記バケットコンベア６７および送給コンベア７１とともに回転駆動される。
【００４２】
このシュート揺動軸８０の先端には当該シュート揺動軸８０に平行にしてかつ軸心をずらした偏心軸（図示しない）が固定されている。この偏心軸は、シュート揺動軸８０の回転により、該シュート揺動軸８０を中心とする円軌道上を回動するもので、この偏心軸と上記揺動アーム７９との間は、リンクロッド８１により接続されている。
したがって、上記揺動軸８０の回転により、上記偏心軸が上記揺動軸８０を中心とする円軌道上を回動し、これにより、上記揺動シュート７８は、上記リンクロッド８１によって、上下に揺動させられるようになっている。
【００４３】
なお、シュート７８を揺動させる機構は、上記の構成に限られず、たとえば揺動軸８０に所要形状のカムを固定し、これに当接する部材をシュート７８側に設け、そのカムの回転により揺動シュート７８を揺動させることとしてもよい。
【００４４】
８２，８２は、上記土揚送部６１の下端に取り付けられた一対の移動用車輪、８３は、上記シュート支持部７６の前面に固定されたハンドルである。
【００４５】
このリターンコンベア装置Ｃは、上記ハンドル８３を把持して、前方に傾けることで、上記移動用車輪８２，８２により、容易に移動させることができるようになっており、上記土回収ホッパ７０を、上記土詰め装置Ｂの排出コンベア３５，３５の終端の下方に位置させ、かつ、上記揺動シュート７８の先端を、上記土供給装置Ａのコンベア５１の上方に位置させて配置される。
【００４６】
上記の土詰めシステムは、以下のように使用される。
【００４７】
すなわち、上記土詰め装置Ｂの台板１４上に、突起板に装着して展開したペーパーポット１を載置し、その周面に規制枠１９，１９，２２，２２を当接させた状態で、上記土供給装置Ａのホッパ５２に土を供給し、コンベア５１を駆動することにより、台板１４上のペーパポット１に土が供給される。
【００４８】
この土詰めの際には、上記モータ１８によりカム１７”を回転させ台板１４を上下に振動させる。これによりペーパーポット１に均等に土を詰めることができる。
上記規制枠１９，１９，２２，２２を越えてこぼれた土は、上記土詰め装置Ｂの排出コンベア３５，３５により、該土詰め装置Ｂの一側に排出され、上記リターンコンベア装置Ｃの土回収ホッパ７０内に落下する。
【００４９】
上記リターンコンベア装置Ｃの土回収ホッパ７０内に落下した土は、上記送給コンベア７１により搬送され、貯留部６８へ投入される。
上記バケットコンベア６７は、貯留部６８内の土を掬い上げて上方に揚送し、上記土吐出部７５から吐出させる。
【００５０】
そして、その土吐出部７５からの土は揺動シュート７８に落下供給され上記土供給装置Ａのコンベア５１上に戻される。
このとき、揺動シュート７８は、上下に揺動するので、その内面に土が付着して土詰まりを起こすことがなく、スムーズに土を案内するようになっている。
【００５１】
土供給装置Ａのコンベア５１上に戻された土は、上記ホッパ５２からこのコンベア５１上を搬送されてくる土と一緒に、再びペーパーポット１に供給されることになる。
【００５２】
ペーパーポット１への土詰めが完了したら、規制枠１９，１９，２２，２２を開いて、押上げレバー３３を操作し、押上げ軸３１……により上記ペーパーポット１を突起板ごと押し上げ、そのペーパーポット１を該土詰め装置Ｂの側方に配置された反転機へ移動させる。上記押上げ軸３１……の先端にはベアリング３０が取り付けられているから、その移動は軽い力で容易に行える。
【図面の簡単な説明】
【００５３】
【図１】本考案の実施例に係る土詰めシステムの正面図である。
【図２】その側面図である。
【図３】土詰め装置の平面図である。
【図４】上記土詰め装置の一部を省略した正面図である。
【図５】（ａ），（ｂ）は、上記土詰め装置の加振機構の動作を示した正面図である。
【図６】上記加振機構の側面図である。
【図７】上記土詰め装置の押上げ機構の正面図である。
【図８】（ａ），（ｂ）は、（長辺側）規制枠の開閉動作を示した図である。
【図９】（ａ），（ｂ）は、（短辺側）規制枠の開閉動作を示した図である。
【図１０】従来の土詰め装置の（ａ）正面図、および、（ｂ）側面図である。
【符号の説明】
【００５４】
Ａ        土供給装置
Ｂ        土詰め装置
Ｃ        リターンコンベア装置
１        ペーパーポット
１４      台板
１５      支持部材
１７”    カム
１９，２２    規制枠
３０      ベアリング
３０’    通孔
３１      押上げ軸
３４      ホッパ
３５      排出コンベア
４４      案内板
５１      コンベア
６７      バケットコンベア
７０      土回収ホッパ
７１      送給コンベア
７８      揺動シュート
【図１】
0003119094.tif 000003
【図２】
0003119094.tif 000004
【図３】
0003119094.tif 000005
【図４】
0003119094.tif 000006
【図５】
0003119094.tif 000007
【図６】
0003119094.tif 000008
【図７】
0003119094.tif 000009
【図８】
0003119094.tif 000010
【図９】
0003119094.tif 000011
【図１０】
0003119094.tif 000012